(57)【要約】【課題】別の収納用の袋を必要としなく、小さく折り畳んで、その状態を維持できる洗濯ネットＡを提供すること。【解決手段】本発明は、洗濯物を入れるネット布製の洗濯ネットＡであって洗濯ネットを折り畳んで収納可能なポケット部２を設けている。ポケット部がネット布地の表面に別のポケット形成用のネット布地を縫い付けてなり、該ポケット形成用のネット布地のネット目Ｎ１が洗濯ネット本体１のネット布地のネット目Ｎ２より粗いものである。【選択図】図３
2017000400.tif 000002
【特許請求の範囲】
【請求項１】
洗濯物を入れるネット布製の洗濯ネットであって、外側に洗濯ネットを折り畳んで収納可能なポケット部を設けたことを特徴とする洗濯ネット。
【請求項２】
ポケット部を除く部分を折り畳んで収納可能なポケット部を設けたことを特徴とする請求項1記載の洗濯ネット。
【請求項３】
ポケット部が矩形であって、その一辺が洗濯ネットの一辺と共通することを特徴とする請求項1記載の洗濯ネット。
【請求項４】
ポケット部が矩形であって、その両辺が洗濯ネットの両辺と共通することを特徴とする請求項1記載の洗濯ネット。
【請求項５】
ポケット部が三角形であって、その両辺が洗濯ネットの両辺と共通することを特徴とする請求項1記載の洗濯ネット。
【請求項６】
洗濯ネットが円形状であることを特徴とする請求項1記載の洗濯ネット。
【請求項７】
ポケット部がネット布地の表面に別のポケット形成用のネット布地を縫い付けてなり、該ポケット形成用のネット布地のネット目が洗濯ネット本体のネット布地のネット目より粗いものであることを特徴とする請求項1記載の洗濯ネット。
【発明の詳細な説明】
【技術分野】
【０００１】
本発明は、洗濯ネットに関し、更に詳しくは、洗濯ネット自体を収納可能な収納ポケットを有する洗濯ネットに関する。
【背景技術】
【０００２】
ストッキングや衣類等の傷み易い衣類や、セーター等の型崩れし易い衣類などを洗濯するために洗濯ネットが使用されている。
洗濯ネットには、大きさや形の異なる種々のものが上市されているが、これらは１枚又は数枚のネット片の周縁部を重ね合わせて縫い合わせ、矩形状、球形状や箱状、筒状、ドーム状等の袋状に形成されており、洗濯物を区分けして収納するためのポケットが備わったものも提案されている。（特許文献１〜４等参照）。
【０００３】
ところで、洗濯ネットは、使い終えた後は、そのままの展開した状態では場所を取るため、小さく折り畳んで保管しておくことが多い。
ところが、比較的、大きめの洗濯ネットでは、折り畳んでも、それが崩れてネット布地自体の復元性によりすぐに広がってしまうことをよく経験する。
このような場合は、収納用の袋を用意して、そこに洗濯ネットを収納している。
そして、近年、洗剤等の改良が進み、或いはクリーニング代の節約等のため、衣服やセーター等の多くを自宅で洗濯することが多くなり、それにつれて使用する洗濯ネットの数も、増えている。
このように、使用する洗濯ネットの数が増えると自ずとより広い保管場所が必要となってくる。
【先行技術文献】
【特許文献】
【０００４】
【特許文献１】特開２０００−２２９１９６号公報
【特許文献２】特開２０００−２２９１９７号公報
【特許文献３】特開２００５−２６１９０５号公報
【特許文献４】特開２０１４−２０７９５５号公報
【発明の概要】
【発明が解決しようとする課題】
【０００５】
本発明は、かかる実状を背景に、その問題点を克服するためになされたものである。
即ち、本発明の目的は、別の収納用の袋を必要としなく、小さく折り畳んで、その状態を維持できる洗濯ネットを提供することである。
【課題を解決するための手段】
【０００６】
かくして、本発明者等は、このような課題背景に対して、鋭意研究を重ねた結果、洗濯ネットを小さくして、自ら備える収納部に収納できるようにすることで、従来の問題を解決できることを見出し、この知見に基づいて本発明を完成させたものである。
【０００７】
即ち、本発明は、（１）、洗濯物を入れるネット布製の洗濯ネットＡであって、外側に洗濯ネットＡを折り畳んで収納可能なポケット部２を設けた洗濯ネットＡに存する。
【０００８】
即ち、本発明は、（２）、ポケット部２を除く部分を折り畳んで収納可能なポケット部２を設けた上記（１）記載の洗濯ネットＡに存する。
【０００９】
即ち、本発明は、（３）、ポケット部２が矩形であって、その一辺が洗濯ネットＡの一辺と共通する上記（１）記載の洗濯ネットＡに存する。
【００１０】
即ち、本発明は、（４）、 ポケット部２が矩形であって、その両辺が洗濯ネットＡの両辺と共通する上記（１）記載の洗濯ネットＡに存する。
【００１１】
即ち、本発明は、（５）、ポケット部２が三角形であって、その両辺が洗濯ネットＡの両辺と共通する上記（１）記載の洗濯ネットＡに存する。
【００１２】
即ち、本発明は、（６）、洗濯ネットが円形状である上記（1）記載の洗濯ネットＡに存する。
【００１３】
即ち、本発明は、（７）、ポケット部２がネット布地の表面に別のポケット形成用のネット布地を縫い付けてなり、該ポケット形成用のネット布地のネット目Ｎ１が洗濯ネット本体１のネット布地のネット目Ｎ２より粗いものである上記（１）記載の洗濯ネットＡに存する。
【００１４】
本発明はこの目的に沿ったものであれば、上記１〜７の中から選ばれた２つ以上を組み合わせた構成も当然採用可能である。
【発明の効果】
【００１５】
１） 本発明の洗濯ネットＡは、ネット布製の洗濯ネットＡを折り畳んで収納可能なポケット部２を設けたので、別の収納用の袋を用意しなくても、洗濯ネットＡを折り畳んで小さくした状態でポケット部２に収納しておくことができる。
【００１６】
２）ポケット部２を除く部分を折り畳んで収納可能なポケット部２を設けたことにより、殆どがポケット部２に収納される。
【００１７】
３）ポケット部２が矩形であって、その一辺が洗濯ネットＡの一辺と共通するので、ポケット部２に収納し易く、縫製効率もよい。
【００１８】
４）ポケット部２が矩形であって、その両辺が洗濯ネットＡの両辺と共通するので、より効率良くポケット部２に収納し易く、縫製効率もよい。
【００１９】
５）ポケット部２が三角形であって、その両辺が洗濯ネットＡの両辺と共通するので、更に効率良くポケット部２に収納し易く、縫製効率もよい。
【００２０】
６）洗濯ネットＡが円形状であることにより、裏返して収納する場合に、裏返しによる包み込みが簡単で収納が容易である。
【００２１】
７）ポケット部２がネット布地の表面に別のポケット形成用のネット布地を縫い付けてなり、該ポケット形成用のネット布地のネット目Ｎ１が洗濯ネット本体１のネット布地のネット目Ｎ２より粗いものであるので、洗濯物を洗濯ネットＡに入れて洗濯機内にて洗濯した場合、洗濯水が極力、支障なく通過する。
【図面の簡単な説明】
【００２２】
【図１】図１は、本実施形態の洗濯ネットの正面図である。
【図２】図２は、図１の洗濯ネットの斜視図である。
【図３】図３は、収納方法を説明する全体の正面図である。
【図４】図４は、収納方法を説明する模式図である。
【図５】図５は、その裏返しによる収納方法を説明する模式図である。
【図６】図６は、ポケット部を裏返した状態を示し、（Ａ）は、側面図であり、（Ｂ）は、上面図である。
【図７】図７は、そのポケット部のネット目と本体のネット目との粗さの違いを説明する図である。
【図８】図８は、ポケット部が矩形であって、その一辺が洗濯ネットの一辺と共通する洗濯ネットを示す図である。
【図９】図９は、ポケット部が三角形であって、その両辺が洗濯ネットの両辺と共通する洗濯ネットを示す図である。
【図１０】図１０は、洗濯ネットが円形状であり、ポケット部が矩形状である洗濯ネットを示す図である。
【発明を実施するための最良の形態】
【００２３】
以下、図面に基づき、本発明のファスナー付き洗濯ネットＡの好適な実施の形態について説明する。
図１は、本実施形態の洗濯ネットＡの正面図であり、また 図２は、図１の洗濯ネットＡの斜視図である。
【００２４】
本実施形態の洗濯ネットＡは、洗濯する際に、洗濯物を入れるネット布製の洗濯ネットＡである。
そして洗濯ネットＡを形成しているネット布地は、水が通過するに十分なネット目（大きさ）を有するものである。
この洗濯ネットＡには、ファスナー３の移動により開け閉めができる入り口部３１が設けられており、この入り口部３１を通して中に洗濯物を入れることができる。
【００２５】
そしてこの洗濯ネットＡには、ポケット部２以外の部分を折り畳んで収納することができるポケット部２が設けられている。
ポケット部２は、洗濯ネットＡのネット布地にポケット部２を構成する別のネット布地を縫い付けることにより形成されている。
この実施の形態では、ポケット部２は、外側に設けられている場合で示した。
洗濯ネットＡは、ネット布製であるので屈曲し易く、折り畳んで小さくすることが容易に可能である。
回りを被われた空間のポケット部２に収納されるので再度、広がって大きくなることがない。
【００２６】
（使用方法）
いま、洗濯ネットＡを使用するには、ファスナー３を引いて入り口部３１を開き、必要となる量の洗濯物を中に入れる。
そして洗濯した後は、ファスナー３を引いて入り口部３１を開き、中にある洗濯物を外に取り出し乾燥させる。
そして、使用後の洗濯ネットＡは、折り畳んで小さくし、外側に備わっているポケット部２に収納する。
そのため洗濯ネットＡがその復元性により広がることもなく、また広い保管場所も必要がなくなる。
【００２７】
（収納方法）
図３は、収納方法を説明する洗濯ネットＡ全体の正面図であり、また図４は、収納方法を説明する模式図である。
先ず、洗濯ネットＡのポケット部２以外の部分を矢印のように折り畳んでポケット部２の周囲に寄せる（図３の矢印参照  ）。
【００２８】
すなわち各角部の方からポケット部２方向に寄せて折り畳んで小さくする（図４（Ａ））。
そして、ポケット部２の口部２１を介して中に押し込む（図４（Ｂ）。
ポケット部２の口部２１にはテープ状の縁布が縫着されているので、口部２１が不用意に伸びることはない。
収納方法としては、上述した方法の他に、裏返しによる方法もある。
【００２９】
図５は、その裏返しによる収納方法を説明する模式図である。図６は、ポケット部２を裏返した状態を示し、図５（Ａ）は、側面図であり、図５（Ｂ）は、上面図である。
先ず、洗濯ネットＡのポケット部２以外の部分を矢印のように折り畳んでポケット部２の周囲に寄せる（図３の矢印参照）。
【００３０】
すなわち図５（Ａ）に示すように、各角部の方からポケット部２方向に寄せて折り畳んで小さくする。
そして、同図の矢印の如くポケット部２を裏返しして包み込み、図５（Ｂ）に示すようにポケット部２以外の部分を収納する。
【００３１】
この時、ポケット部２の中には、ポケット部２以外の部分が収納され、図６に示すようにやや膨れた状態となる。
このように、裏返しによる方法は、裏返しと共に一挙にポケット部２以外の部分を包み込むことができ、またその全てを収納することができるので極めて操作効率がよい。
【００３２】
因みに、図４の収納方法では、ポケット部２の側面の部分は、ポケット部２に収納しきれないが、この図５の裏返しによる方法によると、包込めるため側面の部分も含め全てが収納可能である。
【００３３】
ところで、洗濯ネットＡは、洗濯物を入れて洗濯機内で洗うものであり、洗濯水の中で、常時、回転や往復運動を含め複雑な動きを行う。
その際、洗濯水は洗濯ネットＡのネット布地のネット目を通して内部の洗濯物を洗うこととなる。
ところがポケット部２は、洗濯ネット本体１のネット布地にポケット部２を構成する別のネット布地を縫い付けることにより形成されているので、ポケット部２の領域においては、洗濯ネット本体１のネット布地とポケット部２のネット布地とで二重となっている。
【００３４】
従って、ポケット部２における、水の通過が洗濯ネット本体１における水の通過を極力妨げないようにすることが必要である。
そのためには、該ポケット部２を形成するネット布地のネット目Ｎ１が洗濯ネット本体１のネット布地のネット目Ｎ２より粗いものである（すなわち大きさが大きい）ことが重要である。
【００３５】
図７は、そのポケット部２のネット目と洗濯ネット本体１のネット目との粗さの違いを説明する図である。
このようにポケット部２を形成するネット布地のネット目Ｎ１が洗濯ネット本体１のネット布地のネット目Ｎ２より粗いので、水が極力、スムーズにポケット部２の領域を通過することができる。
この点は、本発明の特徴の一つである。
【００３６】
ところで、洗濯ネットＡに（すなわち洗濯ネット本体１に）ポケット部２を設ける位置としては、種々の位置が採用可能である。
例えば、図８は、ポケット部２が矩形であって、その一辺が洗濯ネットＡの一辺と共通する例である。
図８（Ａ）は洗濯ネットＡの正面図、図８（Ｂ）は、収納方法を説明する全体の正面図であり、図８（Ｃ）は、ポケット部２に収納した状態、図８（Ｄ）は、裏返しにより収納した状態を示す。
【００３７】
また、図９は、  ポケット部２が三角形であって、その両辺が洗濯ネットＡの両辺と共通する例である。
図９（Ａ）は洗濯ネットＡの正面図、図９（Ｂ）は、収納方法を説明する全体の正面図であり、図９（Ｃ）は、裏返しによりポケット部２に収納した状態を示す。
【００３８】
ポケット部２が三角形であって、その両辺が洗濯ネットＡの両辺と共通するものであり、ポケット部２の口部２１が広いので洗濯ネットＡのポケット部２以外の部分を矢印のように折り畳んでポケット部２の周囲に寄せ易い。
以上、図１、図８及び図９の洗濯ネットＡは、少なくともポケット部の一辺が洗濯ネットＡの辺と共通しているので、洗濯ネット本体１とポケット部２が同時に縫えて縫製効率がよい。
【００３９】
また、図１０は、洗濯ネットＡが円形状であり、ポケット部２が矩形状である洗濯ネットＡを示す図である。
図１０（Ａ）は洗濯ネットＡの正面図、図１０（Ｂ）は、収納方法を説明する全体の正面図であり、図１０（Ｃ）は、裏返しによりポケット部２に収納した状態である。
【００４０】
洗濯ネットＡが円形状（洗濯物を入れる前の、通常状態では、円形状で入れた後は球形状）であることにより、裏返して収納する場合に、裏返しによる包み込みが簡単であり収納がし易い。
【００４１】
以上、本発明を説明してきたが、本発明は上記の実施の形態にのみ限定されるものではなく、その本質を逸脱しない範囲で、他の種々の変形例が可能であることはいうまでもない。
述べてきた例は、洗濯ネットＡが矩形状や円形状の例であるが、それ以外の形でも採用可能である。
また、ポケット部２は、洗濯ネットＡの内側に設けることも可能である。
この場合、洗濯する際、互いに洗濯ネットＡのポケット同士が擦れ合うことが回避される。
【産業上の利用可能性】
【００４２】
即ち、別の収納用の袋を必要としなく、小さく折り畳んで、その状態を維持できる洗濯ネットとして、種々の形態の洗濯ネットとして利用できる。
【符号の説明】
【００４３】
Ａ…洗濯ネット
Ｎ１…ポケット部のネット目
Ｎ２…洗濯ネット本体のネット目
１…洗濯ネット本体
１１…ポケット部以外の部分
２…ポケット部
２１…口部
３…ファスナー
３１…入り口部
【図１】
2017000400.tif 000003
【図２】
2017000400.tif 000004
【図３】
2017000400.tif 000005
【図４】
2017000400.tif 000006
【図５】
2017000400.tif 000007
【図６】
2017000400.tif 000008
【図７】
2017000400.tif 000009
【図８】
2017000400.tif 000010
【図９】
2017000400.tif 000011
【図１０】
2017000400.tif 000012